(57)【要約】【課題】初心者や外国人であっても容易に手裏剣を作成できる手裏剣作成用折紙を提供する。【解決手段】折紙１は、正方形に形成される紙片の一辺の中点から対辺の中点に向かって設けられ、切断位置を示すミシン目２０１と、切断されたこの紙片の長辺をこの紙片の短辺の中点同士を結ぶ仮想線に合わせて折る折位置を示す第１押し線２１１、２１２と、この第１押し線に沿って折られた紙片の一対の対角をこの対角の対辺に重なるように折る折位置を示す第２押し線２２１Ａ〜２２３Ｂと、この第２押し線に沿って折られた紙片の一対の鈍角に対する対辺をこの鈍角側に折って２つの直角二等辺三角形を形成させる折位置を示す第３押し線２３１Ａ〜２３３Ｂと、この直角二等辺三角形の斜辺とこの斜辺の対角を結ぶ位置に設けられる第４押し線２４１Ａ〜２４３Ｂと、を備える。【選択図】図１
2019005037.tif 000002
【特許請求の範囲】
【請求項１】
正方形に形成される紙片の一辺の中点から対辺の中点に向かって設けられ、切断位置を示すミシン目と、
切断された前記紙片の長辺を前記紙片の短辺の中点同士を結ぶ仮想線に合わせて折る折位置を示す第１折線と、
前記第１折線に沿って折られた前記紙片の一対の対角を前記対角の対辺に重なるように折る折位置を示す第２折線と、
前記第２折線に沿って折られた前記紙片の一対の鈍角に対する対辺を前記鈍角の側に折って２つの直角二等辺三角形を形成させる折位置を示す第３折線と、
前記直角二等辺三角形の斜辺と前記斜辺の対角を結ぶ位置に設けられる第４折線と、
を備える手裏剣作成用折紙。
【請求項２】
前記第１折線から前記第４折線は、
押し線である請求項１に記載の手裏剣作成用折紙。
【請求項３】
前記第１折線から前記第４折線は、
前記ミシン目に対して線対称に設けられる請求項１又は請求項２に記載の手裏剣作成用折紙。
【請求項４】
前記ミシン目の左側の前記紙片は、
前記ミシン目の右側に施される前記第１折線から前記第４折線をさらに備え、
前記ミシン目の右側の前記紙片は、
前記ミシン目の左側に施される前記第１折線から前記第４折線をさらに備える請求項１から請求項３までのいずれか１項に記載の手裏剣作成用折紙。
【発明の詳細な説明】
【技術分野】
【０００１】
本発明は、手裏剣作成用折紙に関する。
【背景技術】
【０００２】
従来、折紙によって手裏剣を作ることが行われてきた。
【０００３】
一方、海外の日本ブームによって、折り紙や、忍者に対する人気はさらに高まりつつある。こうした背景により、折紙によって忍者グッズである手裏剣を作成することは日本人のみならず外国人にとっても面白みのあることとなっている。
【０００４】
しかし、初心者や外国人にとって、折紙を折って手裏剣を作成することは必ずしも容易なことではない。
【０００５】
この点に関し、折紙に山折り線及び谷折り線を印刷し、これらの線に従って折ってゆくと動物の顔が出来上がる折紙が提案されている（例えば、特許文献１）。
【０００６】
しかし、手裏剣を作成するためには折紙が２枚以上必要であることから、単に折線を印刷しただけでは初心者や外国人は容易に手裏剣を作成することができなかった。
【先行技術文献】
【特許文献】
【０００７】
【特許文献１】特開２００８−１１００６９号公報
【発明の概要】
【発明が解決しようとする課題】
【０００８】
本発明は、初心者や外国人であっても容易に手裏剣を作成できる手裏剣作成用折紙を提供することを課題とする。
【課題を解決するための手段】
【０００９】
前記課題を解決するため、本発明の手裏剣作成用折紙は、正方形に形成される紙片の一辺の中点から対辺の中点に向かって設けられ、切断位置を示すミシン目と、切断された前記紙片の長辺を前記紙片の短辺の中点同士を結ぶ仮想線に合わせて折る折位置を示す第１折線と、前記第１押し線に沿って折られた前記紙片の一対の対角を前記対角の対辺に重なるように折る折位置を示す第２折線と、前記第２押し線に沿って折られた前記紙片の一対の鈍角に対する対辺を前記鈍角側に折って２つの直角二等辺三角形を形成させる折位置を示す第３折線と、前記直角二等辺三角形の斜辺と前記斜辺の対角を結ぶ位置に設けられる第４折線と、を備える。
【発明の効果】
【００１０】
本発明によれば、初心者や外国人であっても容易に手裏剣を作成できる手裏剣作成用折紙を提供することができる。
【図面の簡単な説明】
【００１１】
【図１】手裏剣作成用折紙の平面図。
【図２】手裏剣作成用折紙を用いた手裏剣の作り方を示す図。
【図３】手裏剣の完成図。
【図４】応用例に係る手裏剣作成用折紙の折線パターンを示す図。
【発明を実施するための形態】
【００１２】
以下、本発明の実施形態の一例にかかる手裏剣作成用折紙を、図面を参照しながら説明する。
【００１３】
図１は、本実施形態の手裏剣作成用折紙（以下、折紙１という。）の平面図である。図１に示すように、折紙１は、ミシン目２０１と、複数の折線と、を備える、正方形に形成された紙状体である。
【００１４】
ミシン目２０１は、折紙１の一辺の中点から対辺の中点に向かって一直線に設けられる。ミシン目２０１は、切断位置を示し、折紙１はこのミシン目２０１に沿って２つに切断される。ミシン目２０１の近傍には、ミシン目２０１が切断位置である旨を示す「切り取り」などの文字や、ハサミの形、矢印等の記号等が印刷されていてもよい。
【００１５】
ミシン目２０１は、印刷された直線、破線、一点鎖線等と、折紙１を貫通させた小孔を直線状に配置した小孔の列と、を含むものとする。ミシン目２０１及び折線は、印刷されていてもよいし、押し線であってもよい。ここで、押し線とは直線状に設けられる折り目である。押し線は、直線状の凸部を有する型枠を折紙１に押圧して設けられる。以下、折線が押し線である例について説明する。
【００１６】
折紙１をミシン目２０１に沿って切断すると、２つの合同な長方形の紙片が生成される。切断された折紙１の長辺は短辺の２倍の長さを有する。
【００１７】
以下、切断されることによって生成される２つの長方形のうち、左側の長方形について説明する。
【００１８】
折紙１は、切断された折紙１の長辺を切断された折紙１の短辺の中点同士を結ぶ仮想線に合わせて折る折位置を示す第１押し線２１１、２１２を備える。第１押し線２１１、２１２はともに谷折りである。
【００１９】
図１においては、谷折りを細い破線により、また、山折りを太い破線により図示する。折線を印刷する場合には谷折り線と山折り線とを色などによって区別して印刷することもできる。折線を押し線によって形成する場合には、谷折り線を谷に、山折り線を山なりに形成することも、全ての折線を谷の押し線として形成することも可能である。
【００２０】
切断された折紙１の２つの長辺は、２つの第１押し線２１１、２１２に沿って折られ、短辺の中点同士を結ぶ仮想線において対向するように折り合わせられる。
【００２１】
折紙１は、さらに第１押し線に沿って折られた折紙１の一対の対角を、この対角の対辺に重なるように折る折位置を示す第２押し線を備える。
【００２２】
第２押し線は、切断された折紙１の長辺を８等分した８等分点のうち、上端部に直近の８等分点から、２つ目の８等分点を通る平面視における水平線と、上記の８等分点に近い一方の第１押し線２１１との交点まで伸びる第１の第２押し線２２１Ａと、第１の第２押し線２２１Ａと第１押し線２１１との交点から上端辺と他方の第１押し線２１２との交点まで伸びる第２の第１押し線２２２Ａと、上端辺と他方の第１押し線２１２との交点から切断辺の上端部に直近の長辺の８等分点まで伸びる第３の第２押し線と、を備える。
【００２３】
第１の第２押し線２２１Ａ及び第３の第２押し線２２３Ａは山折り線、第２の第２押し線２２２Ａは谷折り線である。
【００２４】
折紙１は、第２押し線と同形状の他方の第２押し線である、他方の第１の第２押し線２２１Ｂと、他方の第２の第２押し線２２２Ｂと、他方の第３の第２押し線２２３Ｂと、を備える。他方の第１の第２押し線は、始点が下端辺に直近の８等分点を通る。
【００２５】
折紙１は、さらに第２押し線に沿って折られた折紙１の一対の鈍角に対する対辺をこの鈍角側に折って２つの直角二等辺三角形を形成させる折位置を示す第３押し線を備える。
【００２６】
第３押し線は、上端辺から３番目の８等分点から２つ目の８等分点を通る平面視における水平線と、上記の８等分点に近い一方の第１押し線２１１との交点まで伸びる第１の第３押し線２３１Ａと、上端辺から２つ目の８等分点を通る平面視における水平線と、上記の８等分点に近い一方の第１押し線２１１との交点から他方の第１押し線２１２の上端から４つめの８等分点、つまり他方の第１押し線２１２の中点まで伸びる第２の第３押し線２３２Ａと、他方の第１押し線２１２の中点から切断辺の上端辺から３つめの８等分点まで伸びる第３の第３押し線２３３Ａと、を備える。
【００２７】
第１の第３押し線２３１Ａ及び第３の第３押し線２３３Ａは山折り線、第２の第３押し線２３２Ａは谷折り線である。
【００２８】
折紙１は、第３押し線と同形状の他方の第３押し線である、他方の第１の第３押し線２３１Ｂと、他方の第２の第３押し線２３２Ｂと、他方の第３の第３押し線２３３Ｂと、を備える。他方の第１の第３押し線は、始点が下端辺から３つ目の８等分点を通る。
【００２９】
折紙１は、さらに上述の直角二等辺三角形の斜辺とこの斜辺の対角を結ぶ位置に設けられる第４押し線を備える。
【００３０】
第４の押し線は、長辺の上端辺から２つ目の８等分点から、この８等分点を通る平面視水平線と第１押し線２１１との交点まで伸びる第１の第４押し線２４１Ａと、この８等分点を通る平面視水平線と第１押し線２１１との交点からこの交点を通る平面視水平線と他方の第１押し線２１２との交点まで伸びる第２の第４押し線２４２Ａと、上述の平面視水平線と他方の第１押し線２１２との交点から切断辺の上端辺から２つ目の８等分点まで伸びる第３の第４押し線２４３Ａと、を備える。
【００３１】
第１の第４押し線２４１Ａ及び第３の第４押し線２４３Ａは山折り線、第２の第４押し線２４２Ａは谷折り線である。
【００３２】
折紙１は、第４押し線と同形状の他方の第４押し線である、他方の第１の第４押し線２４１Ｂと、他方の第２の第４押し線２４２Ｂと、他方の第３の第４押し線２４３Ｂと、を備える。他方の第１の第４押し線は、始点が下端辺から２つ目の８等分点を通る。
【００３３】
折紙１は、第１押し線と、第２押し線と、第３押し線と、をミシン目２０１に対して線対称に有する。
【００３４】
図２は折紙１を用いた手裏剣の作り方を示す図、図３は手裏剣の完成図である。図２（Ａ）に示すように、まずミシン目２０１に沿って折紙１を切断する。
【００３５】
次に、図２（Ｂ）に示すように、切断された折紙１のそれぞれを第１押し線２１１、２１２に沿って折り合わせる。
【００３６】
次に、図２（Ｃ）に示すように、第１押し線に沿って折られた折紙１の一対の対角を、第２押し線に沿ってこの対角の対辺に重なるように折る。
【００３７】
次に、図２（Ｄ）及び図２（Ｅ）に示すように、第２押し線に沿って折られた折紙１の一対の鈍角に対する対辺をこの鈍角側に第３の押し線に沿って折って２つの直角二等辺三角形を形成させる。
【００３８】
次に、図２（Ｆ）、（Ｇ）、（Ｈ）、及び図３に示すように、上述の直角二等辺三角形の斜辺と前記斜辺の対角を結ぶ位置に設けられる第４押し線に沿ってこの直角二等辺三角形を折り、２つのパーツを組み合わせると、手裏剣２が出来上がる。
【００３９】
図４は、折紙１の応用例に係る折紙３の押し線パターンを示す図である。折紙１の押し線パターンは切断された左側の紙片１０１と、右側の紙片１０２と、を取り違えると図２に示した折り方ができない。
【００４０】
そこで、本応用例に係る折紙３は、左側の紙片１０１に施されるべき押し線と、右側の紙片１０２に施されるべき押し線と、の両方をそれぞれの紙片に施したものである。
【００４１】
従って、本応用例に係る折紙３は、切断後に右と左を取り違えても、容易に手裏剣２を作成することが可能となるという効果がある。
【００４２】
以上述べたように、本実施形態の折紙１は、正方形に形成される紙片の一辺の中点から対辺の中点に向かって設けられ、切断位置を示すミシン目２０１と、切断されたこの紙片の長辺をこの紙片の短辺の中点同士を結ぶ仮想線に合わせて折る折位置を示す第1折線（第１押し線２１１、２１２）と、この第１折線に沿って折られた紙片の一対の対角をこの対角の対辺に重なるように折る折位置を示す第２折線（第２押し線２２１Ａ、２２２Ａ、２２３Ａ、２２１Ｂ、２２２Ｂ、２２３Ｂ）と、この第２折線に沿って折られた紙片の一対の鈍角に対する対辺をこの鈍角側に折って２つの直角二等辺三角形を形成させる折位置を示す第３折線（第３押し線２３１Ａ、２３２Ａ、２３３Ａ、２３１Ｂ、２３２Ｂ、２３３Ｂ）と、この直角二等辺三角形の斜辺とこの斜辺の対角を結ぶ位置に設けられる第４折線（第４押し線２４１Ａ、２４２Ａ、２４３Ａ、２４１Ｂ、２４２Ｂ、２４３Ｂ）と、を備える。
【００４３】
従って、本発明の実施形態によれば初心者や外国人であっても容易に手裏剣を作成できる手裏剣作成用折紙を提供することができるという効果がある。
【符号の説明】
【００４４】
１  折紙
２  手裏剣
３  応用例に係る折紙
１０１  左側の紙片
１０２  右側の紙片
２０１  ミシン目
２１１  第１押し線
２１２  他方の第１押し線
２２１Ａ  第１の第２押し線
２２１Ｂ  他方の第１の第２押し線
２２２Ａ  第２の第２押し線
２２２Ｂ  他方の第２の第２押し線
２２３Ａ  第３の第２押し線
２２３Ｂ  他方の第３の第２押し線
２３１Ａ  第１の第３押し線
２３１Ｂ  他方の第１の第３押し線
２３２Ａ  第２の第３押し線
２３２Ｂ  他方の第２の第３押し線
２３３Ａ  第３の第３押し線
２３３Ｂ  他方の第３の第３押し線
２４１Ａ  第１の第４押し線
２４１Ｂ  他方の第１の第４押し線
２４２Ａ  第２の第４押し線
２４２Ｂ  他方の第２の第４押し線
２４３Ａ  第３の第４押し線
２４３Ｂ  他方の第３の第４押し線
【図１】
2019005037.tif 000003
【図２】
2019005037.tif 000004
【図３】
2019005037.tif 000005
【図４】
2019005037.tif 000006